【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
展開処理が行われた印刷ジョブの印刷処理を印刷装置により実行可能に構成された印刷システムであって、
第１印刷ジョブの展開処理の完了前に実行される当該第１印刷ジョブの条件情報の解析処理の実行結果に基いて、
当該第１印刷ジョブの印刷処理を前記印刷装置により開始させずに、当該第１印刷ジョブの後に印刷実行要求がなされた第２印刷ジョブの印刷処理を前記印刷装置により実行可能にする、
制御手段を有することを特徴とする印刷システム。
【請求項２】
請求項１記載の印刷システムであって、
前記制御手段は、
前記第１印刷ジョブの展開処理の開始前に実行を要する当該第１印刷ジョブの条件情報の解析処理の実行結果に基づいて、
当該第１印刷ジョブの印刷処理を前記印刷装置により開始させずに、前記第２印刷ジョブの印刷処理を前記印刷装置により実行可能にする、ことを特徴とする印刷システム。
【請求項３】
請求項１又は２記載の印刷システムであって、
前記制御手段は、
前記第１印刷ジョブが第２タイプの印刷ジョブではなく第１タイプの印刷ジョブであることを条件に当該第１印刷ジョブの展開処理の開始前に実行される、当該第１印刷ジョブの前記解析処理の実行結果に基づいて、
当該第１印刷ジョブの印刷処理を前記印刷装置により開始させずに、前記第２印刷ジョブの印刷処理を前記印刷装置により実行可能にする、ことを特徴とする印刷システム。
【請求項４】
請求項１乃至３の何れか１項に記載の印刷システムであって、
前記制御手段は、
前記第１印刷ジョブが第２タイプの印刷ジョブではなく第１タイプの印刷ジョブである場合に、印刷ジョブの条件情報の解析処理の実行結果に相当する第１の判定処理の判定結果とは異なる印刷ジョブの展開処理の実行結果に相当する第２の判定処理の判定結果に基づいて、前記第１印刷ジョブに対する処置を決定可能にし、
且つ、前記制御手段は、
前記第１印刷ジョブが前記第２タイプの印刷ジョブではなく第１タイプの印刷ジョブである場合に、前記第１の判定処理の判定結果に基づいて、前記第２の判定処理を実行すること無しに、当該第１印刷ジョブの印刷処理を前記印刷装置により開始させずに前記第２印刷ジョブの印刷処理を前記印刷装置により実行可能にする、ことを特徴とする印刷システム。
【請求項５】
請求項１乃至４の何れか１項に記載の印刷システムであって、
前記制御手段は、
印刷ジョブの条件情報の解析処理に相当する第１の判定処理の判定結果に基づいて印刷ジョブに対する処置を決定可能にし、
且つ、前記制御手段は、
印刷ジョブの展開処理の実行結果に相当する第２の判定処理の判定結果に基づいて印刷ジョブに対する処置を決定可能にし、
且つ、前記制御手段は、
処理対象の印刷ジョブが第２タイプの印刷ジョブではなく第１タイプの印刷ジョブである場合に、前記第２の判定処理に先立って前記第１の判定処理を実行し、
且つ、前記制御手段は、
処理対象の印刷ジョブが前記第１タイプの印刷ジョブではなく前記第２タイプの印刷ジョブである場合に、前記第１の判定処理を実行することなしに、前記第２の判定処理を実行する、ことを特徴とする印刷システム。
【請求項６】
請求項１乃至５の何れか１項に記載の印刷システムであって、
前記制御手段は、
前記第１印刷ジョブが、
第１タイプのジョブに相当するＸＭＬ言語を用いて処理条件が指定されているＪＤＦジョブ、及び、第２タイプのジョブに相当するＸＭＬ言語以外の言語で処理条件が指定されている非ＪＤＦジョブ、のうちの、ＪＤＦジョブである場合に、前記第１印刷ジョブのＪＤＦデータの解析処理の実行結果に相当する第１の判定処理の判定結果に基づいて、前記第１印刷ジョブの印刷データの展開処理を実行すること無しに、当該第１印刷ジョブの印刷処理を前記印刷装置により開始させずに前記第２印刷ジョブの印刷処理を前記印刷装置により実行可能にする、ことを特徴とする印刷システム。
【請求項７】
請求項１乃至６の何れか１項に記載の印刷システムであって、
前記制御手段は、
前記第１印刷ジョブが、第１タイプのジョブに相当するＸＭＬ言語を用いて処理条件が指定されているＪＤＦジョブ、及び、第２タイプのジョブに相当するＸＭＬ言語以外の言語で処理条件が指定されている非ＪＤＦジョブ、のうちの、ＪＤＦジョブである場合に、前記第１印刷ジョブのＪＤＦデータの解析処理に相当する第１の判定処理を実行し、
且つ、前記制御手段は、
前記第１印刷ジョブのＪＤＦデータの解析処理の実行結果に相当する前記第１の判定処理の判定結果をもとに、前記印刷システムにて実行不可の処理が当該第１印刷ジョブに含まれていることを特定する判断を下した場合に、
当該第１印刷ジョブの印刷処理を前記印刷装置により開始させずに、前記第２印刷ジョブの印刷処理を前記印刷装置により実行可能にし、
且つ、前記制御手段は、
前記第１印刷ジョブのＪＤＦデータの解析処理の実行結果に相当する前記第１の判定処理の判定結果をもとに、前記印刷システムにて実行不可の処理が当該第１印刷ジョブに含まれていることを特定する前記判断を下さなかった場合に、前記第１印刷ジョブの印刷データの展開処理の実行結果に相当する第２の判定処理の判定結果をもとに、前記第１印刷ジョブに対する処置を決定可能にする、ことを特徴とする印刷システム。
【請求項８】
請求項１乃至７の何れか１項に記載の印刷システムであって、
前記制御手段は、
前記第１印刷ジョブの印刷処理を前記印刷装置により開始させずに、前記第２印刷ジョブの印刷処理を前記印刷装置により実行する場合に、
前記印刷装置による当該第１印刷ジョブの印刷処理をキャンセルさせる、ことを特徴とする印刷システム。
【請求項９】
請求項１乃至８の何れか１項に記載の印刷システムであって、
前記制御手段は、
前記第１印刷ジョブの印刷処理を前記印刷装置により開始させずに、前記第２印刷ジョブの印刷処理を前記印刷装置により実行する場合に、
前記印刷装置による当該第１印刷ジョブの印刷処理を保留させる、ことを特徴とする印刷システム。
【請求項１０】
請求項１乃至９の何れか１項に記載の印刷システムであって、
前記制御手段は、
前記第１印刷ジョブの印刷処理を前記印刷装置により開始させずに、前記第２印刷ジョブの印刷処理を前記印刷装置により実行する場合に、
当該第１印刷ジョブの印刷処理に要する印刷データを記憶手段に保持させる、ことを特徴とする印刷システム。
【請求項１１】
請求項１乃至１０の何れか１項に記載の印刷システムであって、
前記制御手段は、
前記第１印刷ジョブの印刷処理を前記印刷装置により開始させずに、前記第２印刷ジョブの印刷処理を前記印刷装置により実行する場合に、
当該第１印刷ジョブの印刷処理に要する印刷データを展開処理後の状態で、記憶手段に保持させる、ことを特徴とする印刷システム。
【請求項１２】
請求項１乃至１１の何れか１項に記載の印刷システムであって、
前記制御手段は、
前記第１印刷ジョブの印刷処理を前記印刷装置により開始させずに、前記第２印刷ジョブの印刷処理を前記印刷装置により実行する場合に、
ユーザインタフェース手段を介して入力されたユーザ指示に従い、
前記第１印刷ジョブの印刷処理をキャンセルするか否かを決定可能にする、ことを特徴とする印刷システム。
【請求項１３】
請求項１乃至１２の何れか１項に記載の印刷システムであって、
前記制御手段は、
前記第１印刷ジョブの印刷処理を前記印刷装置により開始させずに、前記第２印刷ジョブの印刷処理を前記印刷装置により実行する場合に、ユーザインタフェース手段を介して入力されたユーザ指示に従い、前記第１印刷ジョブの印刷処理に要する印刷データを記憶手段に保持させるか否かを決定可能にする、ことを特徴とする印刷システム。
【請求項１４】
展開処理が行われた印刷ジョブの印刷処理を印刷装置により実行可能に構成された印刷システムのジョブ処理方法であって、
前記ジョブ処理方法は、
第１印刷ジョブの展開処理の完了前に実行される当該第１印刷ジョブの条件情報の解析処理の実行結果に基づいて、
当該第１印刷ジョブの印刷処理を前記印刷装置により開始させずに、当該第１印刷ジョブの後に印刷実行要求がなされた第２印刷ジョブの印刷処理を前記印刷装置により実行可能にする、ことを特徴とするジョブ処理方法。